(57)【特許請求の範囲】
【請求項１】
表示されるオブジェクトに対する処理を行う端末装置であって、
所定の表示装置との表示リンクを指示する指示操作を検出する検出手段と、
前記指示操作の検出時に、当該端末装置で表示される処理対象のオブジェクトが特定情報を含むオブジェクトか否かを判別する判別手段と、
前記判別手段での判別結果に応じて、前記処理対象のオブジェクトに対応して生成される表示情報の生成処理を、当該端末装置で行って前記表示装置に表示させるか、あるいは前記処理対象のオブジェクトに対する表示情報の生成処理を外部装置において行わせて前記表示装置に表示させるか、を制御する表示制御手段と、
を具備したことを特徴とする端末装置。
【請求項２】
前記表示制御手段は、前記判別手段で前記特定情報を含むオブジェクトではないと判別された際は、その処理対象のオブジェクトに対応して生成される表示情報を当該端末装置で行って前記表示装置に表示させるよう制御し、前記判別手段で特定情報を含むオブジェクトであると判別された際は、その処理対象のオブジェクトに含まれる特定情報で特定されて生成される表示情報を前記外部装置において生成処理させて前記表示装置に表示させるよう制御する、
ことを特徴とした請求項１に記載の端末装置。
【請求項３】
前記特定情報は、前記表示情報を生成する前記外部装置へのネットワーク上におけるリンク先の情報を含む、
前記表示制御手段は、前記リンク先の情報で特定される前記ネットワーク上におけるリンク先としての前記外部装置に、前記処理対象のオブジェクトで特定される表示情報を生成させて前記表示装置に送信させて表示させるように制御する、
ことを特徴とする請求項１又は２に記載の端末装置。
【請求項４】
近傍位置にある前記表示装置の識別情報を取得する取得手段と、
を更に具備し、
前記表示制御手段は、前記取得手段で取得した前記識別情報を、前記リンク先の情報で特定される前記外部装置に対して送信することで、当該外部装置で生成された表示情報を前記識別情報で特定される前記表示装置に送信させるように制御する、
ことを特徴とする請求項３に記載の端末装置。
【請求項５】
前記表示制御手段は、当該端末装置で生成された表示情報を前記表示装置へ直接に送信することで、前記表示情報を前記表示装置に表示させるように制御する、
ことを特徴とする請求項１〜４の何れかに記載の端末装置。
【請求項６】
表示されるオブジェクトに対する処理を行う端末装置であって、
所定の表示装置との表示リンクを指示する指示操作を検出する検出手段と、
前記指示操作の検出時に、当該端末装置で表示される処理対象のオブジェクトが1つか否かを判別する判別手段と、
前記判別手段での判別結果に応じて、前記処理対象のオブジェクトを選択実行することにより取得される表示情報を前記表示装置に表示させるか、あるいは前記処理対象のオブジェクトを前記表示装置側に表示させた状態でそのオブジェクトの選択実行を可能とするために、当該オブジェクトを前記表示装置に表示させるか、を制御する表示制御手段と、
を具備したことを特徴とする端末装置。
【請求項７】
前記表示制御手段は、前記判別手段で前記オブジェクトが１つと判別された際は、そのオブジェクトを選択実行することにより取得される表示情報を前記表示装置に表示させ、前記判別手段で複数と判別された際は、その複数のオブジェクトを前記表示装置側に表示させた状態で何れかのオブジェクトの選択実行を可能とするために、当該複数のオブジェクトを前記表示装置に表示させる、
ことを特徴とする請求項６に記載の端末装置。
【請求項８】
前記表示制御手段は、前記オブジェクトの選択による実行処理を外部装置で実行させ、その外部装置での実行で生成された表示情報を取得させて前記表示装置へ送信させることで、前記表示情報を前記表示装置に表示させるよう制御する、
ことを特徴とした請求項６又は７に記載の端末装置。
【請求項９】
前記表示制御手段は、前記処理対象のオブジェクトを前記表示装置へ送信することで、当該オブジェクトを前記表示装置側に表示させた状態でそのオブジェクトの選択実行を可能とするよう制御する、
ことを特徴とした請求項６〜８の何れかに記載の端末装置。
【請求項１０】
表示されるオブジェクトに対する処理を行う端末装置のコンピュータを制御するためのプログラムであって、
前記コンピュータを、
所定の表示装置との表示リンクを指示する指示操作を検出する検出手段、
前記指示操作の検出時に、当該端末装置で表示される処理対象のオブジェクトが特定情報を含むオブジェクトか否かを判別する判別手段、
前記判別手段での判別結果に応じて、前記処理対象のオブジェクトに対応して生成される表示情報の生成処理を、当該端末装置で行って前記表示装置に表示させるか、あるいは前記処理対象のオブジェクトに対する表示情報の生成処理を外部装置において行わせて前記表示装置に表示させるか、を制御する表示制御手段、
として機能させるようにしたコンピュータ読み取り可能なプログラム。
【請求項１１】
表示されるオブジェクトに対する処理を行う端末装置のコンピュータを制御するためのプログラムであって、
前記コンピュータを、
所定の表示装置との表示リンクを指示する指示操作を検出する検出手段、
前記指示操作の検出時に、当該端末装置で表示される処理対象のオブジェクトが1つか否かを判別する判別手段、
前記判別手段での判別結果に応じて、前記処理対象のオブジェクトを選択実行することにより取得される表示情報を前記表示装置に表示させるか、あるいは前記処理対象のオブジェクトを前記表示装置側に表示させた状態でそのオブジェクトの選択実行を可能とするために、当該オブジェクトを前記表示装置に表示させるか、を制御する表示制御手段、
として機能させるようにしたコンピュータ読み取り可能なプログラム。
【発明の詳細な説明】
【技術分野】
【０００１】
表示されるオブジェクトに対する処理を行う端末装置及びプログラムに関する。
【背景技術】
【０００２】
従来、外部機器としての表示装置に対する操作デバイスとして使用可能な携帯端末装置としては、携帯電話機を外部表示装置に対するポインティングデバイス（マウス）として使用できるようにした技術が存在している（特許文献１〜４参照）。
これらの先行技術では、携帯電話機をマウスとして使用する場合に、外部表示装置が近くにあって携帯電話機と外部表示装置とが予め通信接続されていること、及び、携帯電話機をマウスモードに予め切り替える操作を行っておくこと、が前提となっており、そのような特殊な設定操作をユーザが予め行っていない場合には、携帯電話機をマウスとして機能させることはできないものであり、そのような操作に不慣れなユーザにとっては利用しづらいものであった。
【先行技術文献】
【特許文献】
【０００３】
【特許文献１】特開２００７‐１２３９６２号公報
【特許文献２】特開２００８‐２６３４５４号公報
【特許文献３】特開２００７‐１５０６９５号公報
【特許文献４】特開２０１０‐１６５２８９号公報
【発明の概要】
【発明が解決しようとする課題】
【０００４】
一方、先行技術（上述の特許文献４）にあっては、携帯電話機に表示されるオブジェクト内容を外部表示装置に拡大表示させるようにしているが、外部表示装置に表示されるオブジェクト内容は携帯電話機で表示されるオブジェクトに限定されることから、そのオブジェクト自体は携帯電話機で表示できる程度の解像度や処理負荷の軽いオブジェクトに限定されてしまい、外部表示装置のスペックが高解像度の表示や負荷の大きな表示処理（高解像度動画処理など）が可能な装置であっても、そのスペックを充分に生かした表示を行わせることはできなかった。
【０００５】
本発明の課題は、外部機器としての表示装置を端末装置に対する出力モニタとして利用できるようにすることである。
【課題を解決するための手段】
【０００６】
請求項１は、表示されるオブジェクトに対する処理を行う端末装置であって、所定の表示装置との表示リンクを指示する指示操作を検出する検出手段と、前記指示操作の検出時に、当該端末装置で表示される処理対象のオブジェクトが特定情報を含むオブジェクトか否かを判別する判別手段と、前記判別手段での判別結果に応じて、前記処理対象のオブジェクトに対応して生成される表示情報の生成処理を、当該端末装置で行って前記表示装置に表示させるか、あるいは前記処理対象のオブジェクトに対する表示情報の生成処理を外部装置において行わせて前記表示装置に表示させるか、を制御する表示制御手段と、を具備したことを特徴とする。
【０００７】
請求項６は、表示されるオブジェクトに対する処理を行う端末装置であって、所定の表示装置との表示リンクを指示する指示操作を検出する検出手段と、前記指示操作の検出時に、当該端末装置で表示される処理対象のオブジェクトが特定情報を含むオブジェクトか否かを判別する判別手段と、前記判別手段での判別結果に応じて、前記処理対象のオブジェクトに対応して生成される表示情報の生成処理を、当該端末装置で行って前記表示装置に表示させるか、あるいは前記処理対象のオブジェクトに対する表示情報の生成処理を外部装置において行わせて前記表示装置に表示させるか、を制御する表示制御手段と、を具備したことを特徴とする。
【発明の効果】
【０００８】
本発明によれば、外部機器としての表示装置を端末装置に対する出力モニタとして利用できる。
【図面の簡単な説明】
【０００９】
【図１】携帯電話機１が利用可能な通信ネットワークシステムを示したブロック図。
【図２】携帯電話機１の基本的な構成要素を示したブロック図。
【図３】表示位置管理テーブルＤＴを説明するための図。
【図４】携帯電話機１に対する外部機器としての表示装置６（テレビ受信機６Ａ）の基本的な構成要素を示したブロック図。
【図５】携帯電話機１の概略外観図で、（１）は、携帯電話機１を表面の方向から見た図、（２）は、背面の方向から見た図。
【図６】（１）、（２）は、携帯電話機１の一側面の方向から見た概略外観図で、（２）は、更に、携帯電話機１を表示装置６（テレビ受信機６Ａ）に対する操作デバイス（マウス）として機能している状態での一部拡大概略断面図を含めた図。
【図７】モニタリンク・ボタン操作（ペアリング操作）により実行開始される携帯電話機１の動作を示したフローチャート。
【図８】図７に続く動作を示したフローチャート。
【図９】図８に続く動作を示したフローチャート。
【図１０】表示装置６（テレビ受信機６Ａ）の動作として、外部から電源オン信号を受信することにより実行開始されるフローチャート。
【図１１】表示装置６（テレビ受信機６Ａ）の動作として、携帯電話機１からモニタ探索信号を受信したときに実行開始されるフローチャート。
【図１２】（１）〜（３）は、携帯電話機１側の画面と表示装置６（テレビ受信機６Ａ）側の画面とがリンクしている状態の表示例を示した図。
【図１３】（１）、（２）は、携帯電話機１側の画面と表示装置６（テレビ受信機６Ａ）側の画面とがリンクしている状態の他の表示例を示した図。
【発明を実施するための形態】
【００１０】
以下、本発明の実施の形態について、図１〜図１３を参照して詳細に説明する。
本実施形態は、携帯端末装置として携帯電話機に適用したもので、図１は、携帯電話機１が利用可能な通信ネットワークシステムを示したブロック図である。
携帯電話機１は、音声通話機能、電子メール機能、インターネット接続機能（Ｗｅｂアクセス機能）、近距離通信機能などが備え、最寄りの基地局２から無線通信網（移動体通信網）３に接続されると、その無線通信網３を介して他の携帯電話機（図示省略）との間で通話可能な状態となる。
【００１１】
また、携帯電話機１は、無線通信網３を介してインターネット４に接続されると、電子メールの送受信が可能となったり、Ｗｅｂサイトをアクセスして閲覧可能となったり、また、情報配信装置５から配信される画像データなどの各種のデータをインターネット４、無線通信網３を介してダウンロードしたり、携帯電話機１から画像データなどの各種のデータを無線通信網３、インターネット４を介してアップロードしたりすることが可能となっている。なお、情報配信装置５は、データを暗号化して送受信するプロトコルを使用することで機密性が高く安全な通信を確保することができる業者側のネットワークサーバで、クラウド・サーバサービスを提供し、各ユーザから提供された各種のデータを保管したり、そのユーザ側の端末装置に配信したりするようにしている。
【００１２】
また、携帯電話機１は、外部機器（表示部を備えた電子機器）としての表示装置６との間で直接的又は間接的にデータ通信が可能となっている。表示装置６は、家庭内に設置された各種の電子機器で、例えば、テレビ受信機６Ａ、プロジェクタ６Ｂ、デジタルフォトフレーム６Ｃ、パーソナルコンピュータ（ＰＣ）６Ｄ、車載端末６Ｅなどであり、家庭内に構築された無線ＬＡＮ（構内通信網）７に接続されている。表示装置６は、無線ＬＡＮ（構内通信網）７を介してインターネット４に接続されると、情報配信装置５から画像データなどの各種のデータをダウンロードして表示可能となっている。このように表示装置６は、情報配信装置５に接続されることにより携帯電話機１と表示装置６とは、情報配信装置５を介して間接的に通信接続されるようになっている。また、携帯電話機１と表示装置６とは、近距離通信、例えば、ブルートゥース（Bluetooth：登録商標）を介して直接的に通信接続されるようになっている。
【００１３】
ここで、携帯電話機１と表示装置６とが近距離通信により直接的に通信接続されるのは、表示装置６に対する操作デバイス（ポインティングデバイス：マウス）として自身を機能させる場合である。すなわち、携帯電話機１は、処理対象のオブジェクトに対してアクセス操作が行われた際に、つまり、携帯電話機１と表示装置６とを近距離通信を介してリンクさせるために後述するモニタリンク・ボタンが操作された際に、携帯電話機１の近隣（例えば、半径５ｍ以内）に通信接続（近距離通信）が可能な表示装置６が存在しているか否かを探索し、近隣に表示装置６が存在していれば、その表示装置６を当該携帯電話機１の出力モニタとして特定するようにしている。
【００１４】
このように表示装置６を携帯電話機１に対する出力モニタとし、携帯電話機１をその出力モニタに対する操作デバイスとして、携帯電話機１と表示装置６とをリンクさせることを希望する場合に、上述のモニタリンク・ボタンを操作するようにしている。ここで、処理対象のオブジェクトとは、携帯電話機１側で保持されているリンク情報、受信情報、アイコン、ファイル、画像データ、テキストデータなどであり、例えば、受信メール内に付加されているＵＲＬ（Uniform Resource Locator）、携帯電話機１側で保存されているデータ、端末画面上に表示されているアイコン、画像などのデータである。
【００１５】
そして、携帯電話機１は、処理対象のオブジェクトに対してアクセス操作が行われた際（モニタリンク・ボタンが操作された際）に、そのオブジェクト又はその処理結果を、出力モニタとして特定した表示装置６に表示させるための制御を行うようにしている。すなわち、上述の処理対象のオブジェクト、つまり、携帯電話機１側でアクセス可能なオブジェクト（携帯電話機１側が保持するオブジェクト）を端末オブジェクトと称し、出力モニタとして特定した表示装置６に表示させる当該オブジェクト又はその処理結果を、モニタリンク・オブジェクトと称すると、携帯電話機１は、端末オブジェクトへのアクセス操作に応じて表示装置６にモニタリンク・オブジェクトを表示させるための制御を行うようにしている。
【００１６】
例えば、携帯電話機１は、端末オブジェクトがリンク情報（例えば、ネットワーク上の格納場所、サーバ上のファイル保管場所をリンク先とする情報）であれば、そのリンク情報の処理結果（リンク先から受信取得されたデータ）を、モニタリンク・オブジェクトとして表示装置６に表示させるために、情報配信装置５に対してそのリンク先に格納されているファイルなどのデータを、表示装置６に対して送信すべきことを依頼する依頼通信（間接通信）を行うようにしている。また、端末オブジェクトがリンク情報以外のデータ、例えば、アイコンであれば、その端末オブジェクト（アイコン）をモニタリンク・オブジェクトとして表示装置６に表示させるために、その表示装置６に近距離通信を介して送信する直接通信を行うようにしている。
【００１７】
このようにして携帯電話機１の出力モニタとして特定した表示装置６にモニタリンク・オブジェクトを表示させる制御を行った後、携帯電話機１は、表示装置６に対する操作デバイスモード（ポインティングデバイスモード：マウスモード）に移行するようにしている。このマウスモードにおいては、携帯電話機１の移動操作に応じて表示装置６上のカーソルを移動表示させたり、モニタリンク・ボタンＭＢの押下操作に応じて、表示装置６上のモニタリンク・オブジェクトに関する処理、つまり、そのモニタリンク・オブジェクト対応の端末オブジェクトに対する処理（後述する）を実行したりする。
【００１８】
図２は、携帯電話機１の基本的な構成要素を示したブロック図である。
携帯電話機１は、音声通話機能、電子メール機能、インターネット接続機能（Ｗｅｂアクセス機能）、近距離通信機能などを備え、ＣＰＵ１１を中核とし、電源部１２、記憶部１３、メモリ１４、無線通信部１５、音声信号処理部１６、操作部１７、タッチ表示部１８、マウスセンサ１９、近距離通信部２０、無線ＬＡＮモジュール２１、筐体向き検出部２２、引出検出部２３を有する構成となっている。
【００１９】
ＣＰＵ１１は、二次電池（図示省略）を備えた電源部１２からの電力供給によって動作し、記憶部１３内の各種のプログラムに応じてこの携帯電話機１の全体動作を制御する中央演算処理装置である。記憶部１３には、図７〜図９に示した動作手順に応じて本実施形態を実現するためのプログラムや各種のアプリケーションなどが格納されているほか、それに必要とする情報などが記憶されている。なお、記憶部１３は、例えば、ＳＤカードなど、着脱自在な可搬型メモリ（記録メディア）を含む構成であってもよく、図示しない所定の外部サーバ上の記憶領域を含む構成であってもよい。メモリ１４は、フラグ情報など、携帯電話機１が動作するために必要な各種の情報を一時的に記憶するワーク領域で、後述する表示位置管理テーブルＤＴが設けられている。
【００２０】
無線通信部１５は、通話機能の動作時に受信信号を受信ベースバンド信号に復調した後、音声信号処理部１６を介して通話用スピーカＳＰから音声出力させ、また、通話用マイクＭＣからの入力音声データを音声信号処理部１６から取り込み、送信ベースバンド信号に符号化した後、アンテナ（図示省略）から発信出力させる。操作部１７は、押しボタン式の電源キー、メニューキーなどのサイドキーＳＫのほか、モニタリンク・ボタンＭＢなどを有し、ＣＰＵ１１は、この操作部１７からの入力操作信号に応じて所定の処理を実行する。モニタリンク・ボタンＭＢは、携帯電話機１を表示装置６に対する操作デバイス（マウス）として機能させる際に使用したり、表示装置６に表示されているモニタリンク・オブジェクトを操作する際に使用したりするキーである。
【００２１】
タッチ表示部１８は、携帯電話機１を構成する筐体の表面側に配設され、例えば、高精細液晶ディスプレイや有機ＥＬディスプレイで、文字データ、待受画像、各種のオブジェクトなどを表示したり、ソフトキーボードなどのタッチキー群を表示したりするもので、縦横比の異なる画面を有し、その画面上の全域に透明タッチセンサ（図示省略）を積層配設することにより、指などによるタッチ操作を感知して、そのタッチ操作に応じたデータを入力するタッチスクリーンを構成する。なお、タッチセンサとしては、軽量化、光透過性、耐久性などに優れた静電容量方式を採用し、ソフトキー（タッチキー）に対するキー操作を検出したり、タッチ操作アクション（例えば、スクロール、ビッチイン、ビッチアウトなど）を検出したりする。
【００２２】
マウスセンサ１９は、赤外線又はレーザ光による光学式マウスの発光部及び受光部を構成するもので、マウスモードにおいて携帯電話機１の移動方向や移動量などを光学的に検出する。近距離通信部２０は、ブルートゥース通信を行うもので、その通信可能エリアは、例えば、略半径５ｍとなっており、ブルートゥース通信されるデータに対してシリアル／パラレル変換などを行う。無線ＬＡＮモジュール２１は、家庭内の無線ＬＡＮ通信機能を構成し、高速無線通信が可能なものである。また、筐体向き検出部２２は、筐体の向き（姿勢）を検出する加速度センサである。引出検出部２３は、携帯電話機１内に引き出し可能に収納されているマウスセンサ１９が引き出された状態にあるかを磁気的、機械的、電気的のいずれかより検出するようにしているが、その検出方法は任意である。
【００２３】
図３は、表示位置管理テーブルＤＴを説明するための図である。
表示位置管理テーブルＤＴは、携帯電話機１側に表示されているオブジェクトの表示位置と表示装置６側に表示されているオブジェクトの表示位置とを対応付けて管理するテーブルで、「オブジェクト」、「端末オブジェクトの表示位置」、「モニタリンク・オブジェクトの表示位置」の項目を有している。すなわち、表示位置管理テーブルＤＴは、「オブジェクト」“ａ”、”ｂ”、…に対応して、その表示装置６上での「モニタリンク・オブジェクトの表示位置」と、携帯電話機１上での「端末オブジェクトの表示位置」とを対応付けて記憶管理するテーブルである。
【００２４】
図４は、表示装置６であるテレビ受信機６Ａの基本的な構成要素を示したブロック図である。
テレビ受信機６Ａは、ＣＰＵ６１を中核として、電源部６２、記憶部６３、テレビ放送受信部６４、操作部６５、表示部６６、スピーカ６７の基本的な各構成要素のほか、本実施形態においては、赤外線通信部６８、近距離通信部６９、無線ＬＡＮモジュール７０を有する構成となっている。記憶部６３には、図１０及び図１１に示した動作手順に応じて本実施形態を実現するためのプログラムや各種のアプリケーションなどが格納されているほか、それに必要とする情報などが記憶されている。
【００２５】
テレビ受信機６Ａは、その赤外線通信部６８を介してテレビリモコン（図示省略）との間で赤外線通信が可能となり、また、近距離通信部６８を介して携帯電話機１との間で近距離通信（ブルートゥース通信）を行うことが可能となっている。また、テレビ受信機６Ａは、無線ＬＡＮモジュール６９を介してインターネット４に接続されることにより情報配信装置５から配信されたデータを受信可能となっている。
【００２６】
携帯電話機１とテレビ受信機６Ａとは、ブルートゥース通信による通信リンクが確立（通信接続が設定）されることで、携帯電話機１側の近距離通信部２０とテレビ受信機６Ａ側の近距離通信部６８を介して携帯電話機１とテレビ受信機６Ａとの相互でデータ通信が可能となる。この場合、携帯電話機１から接続相手を特定するためのモニタ探索操作（リンク操作：ペアリング操作）が行われると、携帯電話機１は、近隣に通信接続が可能な表示装置６が存在しているか否かを探索するためのモニタ探索信号を発信した後、それに対するテレビ受信機６Ａからの応答信号を受信することにより、携帯電話機１とテレビ受信機６Ａとの通信リンクが確立される。
【００２７】
図５及び図６は、携帯電話機１の概略外観図で、図５（１）は、携帯電話機１を表面（正面）の方向から見た図、図５（２）は、背面（裏面）の方向から見た図であり、図６（１）及び（２）は、携帯電話機１の一側面の方向から見た図である。
携帯電話機１は、その筐体全体が長方体を成し、図６（１）に示すように筐体の背面は、弧状にやや盛り上がった曲線形を成している。この携帯電話機１の表面には、図５（１）に示すように縦横比の異なるタッチ表示部１８が配設されている。図５（１）は、タッチ表示部１８が縦画面となるように筐体を縦向きにした状態を示した携帯電話機１の表面図で、この縦画面の長手方向一端側（図中、上側）には通話用スピーカＳＰが配設され、縦画面の長手方向他端側（図中、下側）には通話用マイクＭＣが配設されている。更に、縦画面の長手方向他端側（図中、下側）には、引出部２４が引き出し可能に収納されている。また、筐体の背面略中心部には、上述した押しボタン式のモニタリンク・ボタンＭＢが配設されている。
【００２８】
引出部２４は、筐体内に引き出し可能（スライド可能）に収納されたもので、携帯電話機１をポインティングデバイス（マウス）として使用する際に、図６（２）に示すように、携帯電話機１を構成する筐体の一端部内から引出部２４を引き出すようにしている。図６（１）は、筐体内に引出部２４を収納した状態を示し、図６（２）は、筐体内から引出部２４を引き出した状態を示している。図６（１）、（２）は、筐体の表面側を図中、下側にして、平面（例えば、机面）などに載置した状態を示している。この状態において、筐体内から引出部２４を引き出すと、引出部２４の先端面とタッチ表示部１８の表示面との間に段差（ｇｐ）により空間が形成されるように引出部２４を筺体に取り付けられている。この場合、引出部２４は、筺体の表面側の一端部付近から斜め方向（図示の例では、斜め略６０°方向）に引き出される。これによって引出部２４の先端部と筺体の表面側の他端部とが平面（例えば、机面）上に接触した状態（２点接触の状態）で平面上に載置されることになる。
【００２９】
このように筐体の表面一端部付近から斜め方向に引出部２４が引き出されることにより、筐体の一端側が立ち上がった状態となり、つまり、筐体全体が斜めに立ち上がって上方向に曲線的にせり出したような形状となり、筐体を机面などの平面に載置して筺体の背面側を掌で包むように筺体を挟持する際に、その形状は、マウスとして持ち易い（使い易い）フォームとなる。なお、上述のように筐体の背面は弧状にやや盛り上がった曲線形を成しているが、引出部２４の全体もやや弧状の流線型とすることで、引出部２４を引き出した際に、引出部２４の外表面と筐体端部の外表面とが曲線的に連続するようになっている。
【００３０】
引出部２４には、図示省略したが、係止機構及びストッパ機構が付属されている。この係止機構は、筐体内から引出部２４を引き出し終わった状態と、筐体内に完全に収納し終わった状態で引出部２４を弾性的に係止することにより、その状態を保持するようにしたもので、その弾性力に抗して引出部２４が引き出されると、その係止が外れる構成となっている。また、ストッパ機構は、図６（２）に示した最長の引き出し量以上の引き出しを抑制するために、引出部２４の引き出しをその最長の位置で規制するストッパを有する構成となっている。なお、係止機構及びストッパ機構については、一般に使用されている機構を使用するようにしているため、その図示や詳細な説明は省略するものとする。
【００３１】
また、図６（２）で示した部分拡大図に示すように、引出部２４内には、赤外線又はレーザ光による光学式のマウスセンサ１９を構成する発光部及び受光部が配設され、筐体を載置した机面などを照射してその反射光を受光するようにしている。なお、上述した引出検出部２３は、引出部２４（マウスセンサ１９）が引き出されたか否かを検出する際に、引出部２４がその最長の引き出し位置まで引き出された状態であるか否かを検出するようにしている。なお、引出部２４内には電源部１２の電源電池（例えば、ボタン電池）１２ａが出し入れ自由（交換可能）に収納されている。
【００３２】
次に、本実施形態における携帯電話機１及び表示装置６（テレビ受信機６Ａ）の動作概念を図７〜図１１に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
なお、図７〜図９は、携帯電話機１の全体動作のうち、本実施形態の特徴部分の動作概要を示したフローチャートであり、この図７〜図９のフローから抜けた際には、全体動作のメインフロー（図示省略）に戻る。
【００３３】
図７〜図９は、モニタリンク・ボタン操作（ペアリング操作）により実行開始される携帯電話機１の動作を示したフローチャートである。また、図１０及び図１１は、表示装置６（テレビ受信機６Ａ）側の動作を示したフローチャートである。図１２及び図１３は、携帯電話機１側の画面と表示装置６（テレビ受信機６Ａ）側の画面とがリンクしている状態の表示例を示した図である。以下、図７〜図１１のフローを図１２及び図１３を参照して具体的に説明するものとする。
【００３４】
先ず、携帯電話機１においてそのＣＰＵ１１は、筐体向き検出部２２及び引出検出部２３の検出結果に基づいて、マウス・スタイルであるか、つまり、図６（２）に示すように筐体から引出部２４が引き出されることにより筐体の背面部側がせり上がった状態（マウス・スタイル）であるかを調べる（図７のステップＡ１）。いま、筺体の背面側を掌で包むように筺体を挟持した状態、例えば、筐体の表面（タッチ表示部１８やマウスセンサ１９）が下向きとなる姿勢であることが筐体向き検出部２２により検出され、かつ、筐体から引出部２４が引き出されていることが引出検出部２３により検出されている状態（マウス・スタイル）であれば（ステップＡ１でＹＥＳ）、タッチ表示部１８に処理対象の端末オブジェクトが表示されている状態であるかを調べる（ステップＡ２）。
【００３５】
また、マウス・スタイルでなければ（ステップＡ１でＮＯ）、又はマウス・スタイルであっても端末オブジェクトが表示中でなければ（ステップＡ２でＮＯ）、今回のモニタリンク・ボタンの操作を無効とするために、図７〜図９のフローから抜けるが、携帯電話機１側で端末オブジェクトが表示されている状態であれば（ステップＡ２でＹＥＳ）、近隣に存在している表示装置６を探索するために近距離通信部２０からモニタ探索信号を発信させた後（ステップＡ３）、周囲の表示装置６からその応答を近距離通信により受信したかを調べる（ステップＡ４）。いま、いずれの表示装置６からも応答が無ければ（ステップＡ４でＮＯ）、携帯電話機１は、周囲の表示装置６に対して近距離通信部２０から電源オン信号を発信させた後（ステップＡ５）、再び、モニタ探索信号を発信させることにより（ステップＡ６）、その探索信に対して周囲の表示装置６から応答を受信したかを調べる（ステップＡ７）。
【００３６】
図１０は、表示装置６（テレビ受信機６Ａ）の動作として、外部から電源オン信号を受信することにより実行開始されるフローチャートである。
先ず、ＣＰＵ６１は、外部から電源オン信号を受信すると、電源部６２を制御してメイン電源をオンさせた後（図１０のステップＢ１）、携帯電話機１からの電源オン信号であるかを調べる（ステップＢ２）。いま、赤外線通信部６８を介してテレビリモコン（図示省略）から電源オン信号を受信したときには（ステップＢ２でＮＯ）、テレビ放送受信部６４を起動させてテレビ映像を表示部６６の画面（モニタ画面）から出力させると共に、テレビ音声をスピーカ６７から出力させる（ステップＢ３）。
【００３７】
そして、テレビリモコンなどでテレビ操作が行われた場合に（ステップＢ４でＹＥＳ）、それが電源オフ操作でなければ（ステップＢ５でＮＯ）、その操作に対応する処理として、例えば、チャンネル切替、音量調整などの処理を行うと共に、テレビ出力処理を継続する（ステップＢ６）。そして、上述のステップＢ４に戻り、テレビ操作待ち状態となる。ここで、電源オフ操作が行われたときには（ステップＢ５でＹＥＳ）、この時点でメイン電源をオフする処理に移行する。また、携帯電話機１から近距離通信により電源オン信号を受信したときには（ステップＢ２でＹＥＳ）、電源オン信号を受信してから所定時間内（例えば、３秒以内）に携帯電話機１からモニタ探索信号を受信したかを調べ（ステップＢ７）、モニタ探索信号を受信しなければ（ステップＢ７でＮＯ）、この時点でメイン電源をオフする処理に移行する。
【００３８】
携帯電話機１からモニタ探索信号を受信したときには（ステップＢ７でＹＥＳ）、図１１のフローに移る。図１１は、表示装置６（テレビ受信機６Ａ）の動作として、携帯電話機１からモニタ探索信号を受信したときに実行開始されるフローチャートである。
先ず、ＣＰＵ６１は、表示装置６が動作中か、つまり、モニタ画面にテレビ映像を表示しているテレビ表示中かを調べ（図１１のステップＢ１１）、テレビ映像を表示しているテレビ表示中であれば（ステップＢ１１でＹＥＳ）、予め設定されている自己の識別情報（モニタＩＤ）を読み出して、このモニタＩＤを表示中フラグ（図示省略）と共に携帯電話機１に送信してモニタ探索信号に対する応答を行う（ステップＢ１２）。そして、携帯電話機１からモニタリンク・オブジェクトを近距離通信により受信したかを調べ（ステップＢ１３）、モニタリンク・オブジェクトを受信しなければ（ステップＢ１３でＮＯ）、テレビ出力処理を継続したまま、この時点で図１１のフローの割込処理から抜ける。
【００３９】
また、テレビ表示中ではなく、テレビ映像を表示していない非表示中であれば（ステップＢ１１でＮＯ）、自己の識別情報（モニタＩＤ）を非表示中フラグ（図示省略）と共に携帯電話機１に送信してモニタ探索信号に対する応答を行った後（ステップＢ２２）、携帯電話機１からモニタリンク・オブジェクトを受信したかを調べる（ステップＢ２３）。ここで、モニタリンク・オブジェクトを受信しなければ（ステップＢ２３でＮＯ）、応答から所定時間（例えば、３秒）が経過してタイムアウトになったかを調べ（ステップＢ２５）、タイムアウトになるまで上述のステップＢ２３に戻り、受信待ちの状態となるが、タイムアウトになったときには（ステップＢ２５でＹＥＳ）、メイン電源をオフする処理に移行する。
【００４０】
一方、携帯電話機１において、上述のようなモニタ探索信号の発信に対して、周囲の表示装置６からその応答を受信したときには（図７のステップＡ４又はステップＡ７でＹＥＳ）、複数の表示装置６からの応答を受信したかを調べ（ステップＡ８）、単一の表示装置６から応答を受けたときには（ステップＡ８でＮＯ）、その表示装置６を出力モニタとして特定して、その受信ＩＤ（モニタＩＤ）をメモリ１４内に一時記憶させる（ステップＡ１３）。また、複数の表示装置６からの応答を受信したときには（ステップＡ８でＹＥＳ）、その応答時に受信した表示中フラグ／非表示中フラグを参照して、応答した各表示装置６のうち、非表示中フラグを送信した非表示中の表示装置６が存在しているかを調べる（ステップＡ９）。
【００４１】
その結果、非表示中の表示装置６が存在していれば（ステップＡ９でＹＥＳ）、その一台の表示装置６を出力モニタとして特定して、その受信ＩＤ（モニタＩＤ）をメモリ１４内に一時記憶させる（ステップＡ１０）。なお、非表示中の表示装置６が複数台存在している場合には、電波強度などの受信状況に応じて距離的に最も近い表示装置６、予め設定されている画面サイズを比較して最もサイズの大きい表示装置６を選択するようにしている。また、非表示中の表示装置６が存在していなければ（ステップＡ９でＮＯ）、応答のあった各表示装置６のモニタＩＤを受信してリスト表示させ（ステップＡ１１）、そのリストの中からユーザ操作により任意のモニタＩＤが選択指定されると（ステップＡ１２）、選択されたモニタＩＤ対応の表示装置６を出力モニタとして特定して、その受信ＩＤ（モニタＩＤ）をメモリ１４内に一時記憶させる（ステップＡ１３）。
【００４２】
このようにして表示装置６を出力モニタとして特定した後は、図８のフローに移る。なお、出力モニタとして特定した表示装置６を、単に出力モニタと呼称するものとする。先ず、表示中フラグ／非表示中フラグを参照して、表示装置６は現在、テレビ映像を表示中であるかを調べる（図８のステップＡ１４）。いま、出力モニタがテレビ映像を表示していない非表示中であれば（ステップＡ１４でＮＯ）、タッチ表示部１８の画面（端末画面）の全体内容、つまり、端末オブジェクトを含む表示内容の全体をそのままモニタリンク・オブジェクトとして、出力モニタに対して送信する（ステップＡ１５）。また、出力モニタが表示中であれば（ステップＡ１４でＹＥＳ）、端末画面内に表示されている端末オブジェクトは、ＵＲＬなどのリンク情報であるかを調べる（ステップＡ１６）。
【００４３】
ここで、端末オブジェクトがＵＲＬなどのリンク情報であれば（ステップＡ１６でＹＥＳ）、端末画面内に表示されているリンク情報が一つであるかを調べる（ステップＡ１７でＹＥＳ）。端末オブジェクト（リンク情報）が一つであれば（ステップＡ１７でＹＥＳ）、インターネット４を介して情報配信装置５に依頼送信を行う（ステップＡ１９）。すなわち、端末オブジェクト（リンク情報）で指定されるデータの存在場所（リンク先）から表示対象のデータを取得し、それをモニタリンク・オブジェクトとして出力モニタに送信すべきことを依頼する送信を情報配信装置（サーバ）５に対して行う。
【００４４】
また、端末画面内に表示されている各端末オブジェクトが複数のリンク情報であれば（ステップＡ１７でＮＯ）、この複数のリンク情報をモニタリンク・オブジェクトとして出力モニタに近距離通信により直接送信する処理を行う（ステップＡ１８）。一方、端末オブジェクトがリンク情報でなければ（ステップＡ１６でＮＯ）、アイコンなどの端末オブジェクトをモニタリンク・オブジェクトとして出力モニタに近距離通信により直接送信する（ステップＡ２０）。
【００４５】
他方、出力モニタは、テレビ非表示中において（図１１のステップＢ１１でＮＯ）、携帯電話機１から直接又は情報配信装置５を介して間接的にモニタリンク・オブジェクトを受信したときには（ステップＢ２３でＹＥＳ）、モニタ画面の全体領域にモニタリンク・オブジェクトを表示させると共に、その近傍にカーソルを一時表示させる（ステップＢ２４）。また、テレビ表示中において（ステップＢ１１でＹＥＳ）、携帯電話機１から直接又は情報配信装置５を介して間接的にモニタリンク・オブジェクトを受信したときには（ステップＢ１３でＹＥＳ）、モニタ画面の隅部にモニタリンク・オブジェクトをテレビ映像に重ね合わせて表示させると共に、その近傍にカーソルを一時表示させる（ステップＢ１４）。なお、“カーソルの一時表示”とは、モニタリンク・オブジェクトと共にカーソルを表示させた後、携帯電話機１で操作が行われなければ、そのカーソル表示位置を退避してからカーソル表示を消去し、その後の操作開始のタイミングで退避しておいた表示位置にカーソルを表示させることを意味している（以下、同様）。
【００４６】
図１２（１）は、端末画面に表示されている端末オブジェクトがリンク情報の場合で、出力モニタがテレビ映像を表示していない非表示中の場合（図８のステップＡ１４でＮＯ）の表示例を示したもので、図８のステップＡ１５の実行により端末オブジェクト（リンク情報）を含む端末画面の全体が出力モニタに全面表示された場合である。この場合、端末オブジェクト（リンク情報）がモニタリンク・オブジェクトとして全面表示されると共に、このモニタリンク・オブジェクトの近傍にカーソルが表示される。
【００４７】
図１２（２）は、端末画面に端末オブジェクトとして一つのリンク情報が表示されている場合で、出力モニタがテレビ映像を表示している表示中の場合（図８のステップＡ１４でＹＥＳ、ステップＡ１６及びＡ１７でＹＥＳ）の表示例を示したもので、図８のステップＡ１９の実行により携帯電話機１から情報配信装置５への依頼送信に応じて情報配信装置５を介して取得した画像データ（人物の顔画像）がモニタ画面の隅部（図中、左下部）にテレビ映像に重ね合わせられて表示された場合である。この場合、端末オブジェクトの処理結果である画像データ（人物の顔画像）がモニタリンク・オブジェクトとして画面隅部に表示されると共に、その近傍にカーソルが表示される。
【００４８】
図１２（３）は、端末画面に端末オブジェクトとして複数（三つ）のリンク情報が表示されている場合で、出力モニタがテレビ映像を表示している表示中の場合（図８のステップＡ１４でＹＥＳ、ステップＡ１６でＹＥＳ、ステップＡ１７でＮＯ）の表示例を示したもので、図８のステップＡ１８の実行により複数のリンク情報がモニタ画面の隅部（図中、左下部）にテレビ映像に重ね合わせられて表示された場合である。この場合、複数のリンク情報がモニタリンク・オブジェクトとして画面隅部に表示されると共に、その近傍にカーソルが表示される。
【００４９】
図１３（１）は、端末画面に端末オブジェクトとしてリンク情報以外の情報（例えば、複数のアイコン）が表示されている場合で、出力モニタがテレビ映像を表示していない非表示中の場合（図８のステップＡ１４でＮＯ）の表示例を示したもので、図８のステップＡ１５の実行により端末オブジェクト（複数のアイコン）を含む端末画面の全体が出力モニタ全面表示された場合である。この場合、複数のアイコンがモニタリンク・オブジェクトとして全面表示されると共に、このモニタリンク・オブジェクトの近傍にカーソルが表示される。
【００５０】
図１３（２）は、端末画面に端末オブジェクトとしてリンク情報以外の情報（例えば、複数のアイコン）が表示されている場合で、出力モニタがテレビ映像を表示している表示中の場合（図８のステップＡ１４でＹＥＳ、ステップＡ１６でＮＯ）の表示例を示したもので、図８のステップＡ２０の実行により複数のアイコンがモニタ画面の隅部（図中、左下部）にテレビ映像に重ね合わせられて表示された場合である。この場合、複数のアイコンがモニタリンク・オブジェクトとして画面隅部に表示されると共に、その近傍にカーソルが表示される。
【００５１】
このように出力モニタは、モニタリンク・オブジェクトを表示させた後（図１１のステップＢ１４又はステップＢ２４）、モニタリンク・オブジェクトの表示位置及びカーソルの表示位置を検出して携帯電話機１に対して送信する（ステップＢ１５）。そして、携帯電話機１からカーソル移動信号を受信したかを調べたり（ステップＢ１６）、新たなモニタリンク・オブジェクトを受信したかを調べたり（ステップＢ１８）、携帯電話機１からリンク終了の指示を受信したかを調べたりする（ステップＢ２０）。いま、カーソル移動信号を受信したときには（ステップＢ１６でＹＥＳ）、待機しておいたカーソル位置を読み出してその位置にカーソルを表示させると共に、受信したカーソル移動信号に応じてカーソル表示を移動させる（ステップＢ１７）。その後、上述のステップＢ１５に戻り、カーソル移動に応じて変更された新たなカーソル位置を検出して携帯電話機１に送信する処理を行う。
【００５２】
また、出力モニタは、新たなモニタリンク・オブジェクトを受信した場合に（ステップＢ１８でＹＥＳ）、テレビ表示中かを調べ（ステップＢ１９）、テレビ表示中であれば（ステップＢ１９でＹＥＳ）、上述の重ね合わせ表示（ステップＢ１４）に戻るが、テレビ非表示中であれば（ステップＢ１９でＮＯ）、上述の全面表示（ステップＢ２４）に戻り、以下、上述の動作を繰り返す。また、携帯電話機１からリンク終了の指示を受信したときには（ステップＢ２０でＹＥＳ）、テレビ表示中かを調べ（ステップＢ２１）、テレビ表示中であれば（ステップＢ２１でＹＥＳ）、図１１のフローの割込処理から抜けるが、テレビ非表示中であれば（ステップＢ２１でＮＯ）、メイン電源をオフする処理に移行する。
【００５３】
携帯電話機１は、出力モニタからモニタリンク・オブジェクトの表示位置及びカーソルの表示位置を受信すると（図８のステップＡ２１）、このモニタリンク・オブジェクトに対応する端末オブジェクトの表示位置を検出し、この端末オブジェクトの表示位置とモニタリンク・オブジェクトの表示位置とを対応付けて表示位置管理テーブルＤＴに記憶させる（ステップＡ２２）。そして、操作デバイスモード（マウスモード）に移行させた後（ステップＡ２３）、図９のフローに移り、モニタリンク・オブジェクトに関する処理（モニタリンク・オブジェクト対応の端末オブジェクトに対する処理）を実行する。
【００５４】
すなわち、このモニタリンク・オブジェクトに関する処理（モニタリンク・オブジェクト対応の端末オブジェクトに対する処理）の開始に先立って、携帯電話機１は、図６（２）に示すように筐体から引出部２４が引き出されて筐体の背面部がせり上がった状態でマウスセンサ１９が下向きとなっているマウス・スタイルにおいて、携帯電話機１の移動操作が行われたかを調べたり（図９のステップＡ２４）、モニタリンク・ボタンＭＢが操作されたかを調べたり（ステップＡ２７）、マウス・スタイルが解除されたかを調べたりする（ステップＡ２９）。
【００５５】
いま、ユーザが所望する方向に筐体を移動する移動操作が行われたときには（ステップＡ２４でＹＥＳ）、マウスセンサ１９により検出された筐体の移動方向及び移動速度などをカーソル移動信号として、出力モニタに送信（近距離通信）すると共に（ステップＡ２５）、この出力モニタ側のカーソル移動処理に応じて更新された新たなカーソル表示位置を、その出力モニタから受信取得した後（ステップＡ２６）、上述のステップＡ２４に戻る。
【００５６】
また、モニタリンク・ボタンＭＢが操作されたときには（ステップＡ２７でＹＥＳ）、表示位置管理テーブルＤＴを参照し、現在のカーソルの表示位置はモニタリンク・オブジェクトの表示位置に一致するかを調べる（ステップＡ２８）。その結果、両者が一致しなければ（ステップＡ２８でＮＯ）、マウス・スタイルが解除されたか、つまり、図６（２）に示すように筐体から引出部２４が引き出されてマウスセンサ１９が下向きとなっているかを調べる（ステップＡ２９）。ここで、マウス・スタイルが解除されたときには（ステップＡ２９でＹＥＳ）、ポインティングデバイスモード（マウスモード）を解除するために図７〜図９のフローから抜ける。
【００５７】
モニタリンク・ボタンＭＢの操作時に、カーソル位置がモニタリンク・オブジェクト位置に一致していれば（ステップＡ２８でＹＥＳ）、つまり、そのモニタリンク・オブジェクトがカーソル移動により選択されたときには、以下、モニタリンク・オブジェクトに関する処理（モニタリンク・オブジェクト対応の端末オブジェクトに対する処理）を行う。この場合、選択オブジェクトは、リンク情報であるかを調べ（ステップＡ３１）、リンク情報であれば（ステップＡ３１でＹＥＳ）、情報配信装置５に対して依頼送信を行うことにより、リンク情報で指定されるデータを、モニタリンク・オブジェクトとして、受信モニタＩＤの出力モニタに表示させるための制御を行う（ステップＡ３２）。この場合、携帯電話機１は、情報配信装置５に対する依頼内容として、上述の応答時に受信したモニタＩＤ及び選択オブジェクト（リンク情報）を送信（通知）すると、情報配信装置５は、選択オブジェクト（リンク情報）で指定される存在場所（リンク先）からデータを取得して、モニタＩＤで指定される出力モニタに対して送信する処理を行う。
【００５８】
そして、携帯電話機１は、上述の依頼送信により出力モニタにモニタリンク・オブジェクト及びカーソルが表示されると、出力モニタ側でのモニタリンク・オブジェクトの表示位置及びカーソルの表示位置を受信した後（ステップＡ３３）、当該端末オブジェクトの表示位置とモニタリンク・オブジェクトの表示位置とを対応付けて表示位置管理テーブルＤＴに記憶させる（ステップＡ３４）。その後、上述のステップＡ２９に移り、マウス・スタイルが解除されているかを調べる。
【００５９】
また、モニタリンク・オブジェクトがリンク情報でなければ（ステップＡ３１でＮＯ）、表示位置管理テーブルＤＴを参照して、モニタリンク・オブジェクトに対応する端末オブジェクトを選択し（ステップＡ３５）、その端末オブジェクトに対する処理（例えば、アイコンに応じた処理など）を実行し（ステップＡ３６）、その処理結果を新たなモニタリンク・オブジェクトとして取得し（ステップＡ３７）、出力モニタに対して送信する（ステップＡ３８）。その後、上述のステップＡ３３に移り、出力モニタでのモニタリンク・オブジェクトの表示位置及びカーソルの表示位置を出力モニタから受信した後、当該端末オブジェクトの表示位置とモニタリンク・オブジェクトの表示位置とを対応付けて表示位置管理テーブルＤＴに記憶させる（ステップＡ３４）。そして、上述のステップＡ２９に移り、マウス・スタイルが解除されているかを調べる。一方、マウス・スタイルが解除されたときには（ステップＡ２９でＹＥＳ）、リンク終了信号を出力モニタに送信した後（ステップＡ３０）、図７〜図９のフローから抜ける。
【００６０】
以上のように、本実施形態において携帯電話機１は、処理対象の端末オブジェクトに対してアクセス操作が行われた場合に、近隣に通信接続が可能な表示装置６（例えば、テレビ受信機６Ａ）が存在していれば、その表示装置６を出力モニタとして特定した後、端末オブジェクト又はその処理結果をモニタリンク・オブジェクトとして、その表示装置６に表示させるための制御を行うと共に、そのモニタリンク・オブジェクトを操作するための操作デバイスとして当該携帯電話機１を機能させる操作デバイスモードに移行するようにしたので、予め特別な操作を行うことなく、近隣に存在している表示装置６を携帯電話機１に対する出力モニタとして利用できるほか、その表示装置６に対する操作デバイスとして携帯電話機１を効果的に利用することができ、操作性と利便性を兼ね備えることが可能となる。
【００６１】
従って、ユーザにあっては、携帯電話機１側で保持する端末オブジェクト（携帯電話機１側でアクセス可能な端末オブジェクト）をアクセスした際に、近隣に通信可能な表示装置６が存在していれば、それを出力モニタとして自動特定して、この表示装置６側のモニタリンク・オブジェクトに関する処理（モニタリンク・オブジェクト対応の端末オブジェクトに対する処理）を携帯電話機１側の操作で容易に行うことができる。すなわち、携帯電話機１を所持するユーザが何処に居たとしても、その近隣に通信接続が可能な表示装置６があれば、その表示装置６との通信接続や操作デバイスモードへの切り替えを意識しなくても、モニタリンク・オブジェクトに関する処理を、携帯電話機１側での操作で容易かつ適切に行うことができる。
【００６２】
携帯電話機１は、端末オブジェクトがリンク情報であれば、表示装置６の識別情報（モニタＩＤ）とリンク情報を情報配信装置５に対して通知することで、情報配信装置５からそのリンク情報で指定されるデータをその表示装置６に送信させることにより、当該データをモニタリンク・オブジェクトとして表示装置６に表示させるための制御を行うようにしたので、その表示装置６のスペックが高解像度の表示や負荷の大きな表示処理（高解像度動画処理など）が可能な場合にそのスペックを充分に生かした表示を実現することができる。
【００６３】
携帯電話機１は、表示装置６に対して端末オブジェクトを近距離通信により送信させることにより、その端末オブジェクトをモニタリンク・オブジェクトとして表示装置６に表示させるための制御を行うようにしたので、課金されない送信が可能となり、経済的であるほか、通信可能範囲が狭いので、セキュリティ面でも有効なものとなる。
【００６４】
携帯電話機１は、表示装置６に表示されているモニタリンク・オブジェクトの表示位置と端末オブジェクトとを対応付けて記憶管理し、携帯電話機１側で表示装置６上のカーソルを移動させる移動操作が行われると、そのカーソル位置がモニタリンク・オブジェクトの表示位置に一致すれば、そのモニタリンク・オブジェクトに対応付けられている端末オブジェクトに対する処理を実行するようにしたので、表示装置６側のモニタリンク・オブジェクトに関する実行を携帯電話機１側で実行することが可能となる。
【００６５】
表示装置６上のカーソルは、移動操作の開始時に一時表示されると共にその後の携帯電話機１からの移動操作に応じて移動されるので、移動操作を行っていない間ではカーソル表示を消去することができ、ＴＶ映像などの邪魔になることもない。
【００６６】
携帯電話機１端末オブジェクトに対してアクセス操作が行われた際に、近距離通信により発信された探索信号に対していずれの表示装置６からも応答が無かった場合には、電源オン信号を発信させた後の再度の探索信号の発信に対して、いずれかの表示装置から応答が有ったか否を判別するようにしたので、近隣の表示装置６が電源オフ状態であっても、予め特別な操作を行うことなく、それを出力モニタとすることができる。
【００６７】
携帯電話機１は、表示装置６にモニタリンク・オブジェクトを表示させるための制御を行う場合に、表示装置６に既に他の表示データが表示されていれば、当該他の表示データと共にモニタリンク・オブジェクトを表示させるようにしたので、モニタリンク・オブジェクトを表示させたとしても既に表示中の他の表示データ（例えば、テレビ映像など）を見ることができる。
【００６８】
携帯電話機１は、表示装置６に既に他の表示データが表示されていなければ、端末オブジェクトを含む表示内容の全体をそのままモニタリンク・オブジェクトとして表示装置８に表示させるようにしたので、モニタリンク・オブジェクトが見易くなる。
【００６９】
筐体向き検出部２２により検出された筐体の姿勢（向き）に基づいて、操作デバイスモード（マウスモード）を解除するようにしたので、特別なキー操作を行うことなく、筐体の姿勢（向き）を変えるだけで、マウスモードを解除することができる。
【００７０】
携帯電話機１は、リンク情報としての端末オブジェクトに対してアクセス操作が行われた場合に、近隣に通信接続が可能な表示装置６が存在していれば、その表示装置６を出力モニタとして特定して、その識別情報（モニタＩＤ）を取得すると共に、このモニタＩＤ及び当該リンク情報をネットワーク経由で表示装置６に対して通知することで、当該表示装置６からそのリンク情報で指定されるデータをモニタＩＤで指定される表示装置６に送信させることにより、当該データをモニタリンク・オブジェクトとして表示装置６に表示させるための制御を行うようにしたので、予め特別な操作を行うことなく特定した近隣の表示装置６に対する操作デバイスとして携帯電話機１を効果的に利用することができ、操作性と利便性を兼ね備えているほか、その表示装置６のスペックが高解像度の表示や負荷の大きな表示処理（高解像度動画処理など）が可能な場合にそのスペックを充分に生かした表示を実現することができる。
【００７１】
なお、上述した実施形態においては、携帯電話機１と表示装置６との間での近距離通信として、ブルートゥース通信を使用するようにしたが、赤外線通信などであってもよい。また、インターネット４を介して情報配信装置５に接続するようにしたが、構内通信網を介して接続するようにしてもよい。
【００７２】
上述した実施形態においては、携帯電話機１をポインティングデバイス（マウス）として使用する際に、図６（２）に示すように、筐体の表面側を下向き、つまりタッチ表示部１８を平面（例えば、机面）に向けて載置する使用する場合を示したが、その平面は、水平面に限らず、垂直面（例えば、壁面）などであってもよい。また、上述した実施形態においては、携帯電話機１をマウス機能として使用するようにしたが、タッチパット機能（ポインティングデバイス）として使用したり、モーションセンサ機能（空間移動操作デバイス）として使用したりしてもよい。
【００７３】
上述した実施形態においては、表示装置６に既に他の表示データが表示されていれば、当該他の表示データと共にモニタリンク・オブジェクトを重ね合わせて表示させるようにしたが、同一画面内に他の表示データとモニタリンク・オブジェクトとを並列表示させるようにしてもよい。
【００７４】
また、上述した実施形態においては、携帯電話機に適用した場合を例示したが、これに限らず、ＰＤＡ、デジタルカメラ、音楽プレイヤーなどであってもよい。
【００７５】
また、上述した実施形態において示した“機”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００７６】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
処理対象のオブジェクトに対する操作に応じて当該オブジェトを処理する携帯端末装置であって、
当該端末装置の近隣に存在している外部機器としての表示装置との間で直接的又は間接的にデータ通信を行う通信手段と、
前記処理対象のオブジェクトを端末オブジェクトとし、その端末オブジェクトに対してアクセス操作が行われた場合に、当該端末装置の近隣に通信接続が可能な前記表示装置が存在しているか否かを判別する接続判別手段と、
前記接続判別手段により表示装置が存在していることが判別された場合に、その表示装置を出力モニタとして特定し、前記端末オブジェクト又はその処理結果をモニタリンク・オブジェクトとして、前記特定した表示装置に前記第１の通信手段を介して表示させるための制御を行う表示制御手段と、
前記表示装置に対する操作デバイスとして当該端末装置を機能させる操作デバイスモードに移行させるモード制御手段と、
を備えたことを特徴とする携帯端末装置である。
（請求項２）
請求項２に記載の発明は、請求項１に記載の携帯端末装置において、
前記通信手段は、ネットワーク経由で情報配信装置を介して前記表示装置との間で間接的に通信接続するネットワーク通信手段であり、
前記端末オブジェクトは、表示対象のデータの存在場所を指定するリンク情報であり、
前記表示制御手段は、前記出力モニタとして特定した表示装置の識別情報を取得し、この識別情報及び前記リンク情報を前記ネットワーク経由で前記情報配信装置に対して通知することで、当該情報配信装置からそのリンク情報で指定されるデータを前記識別情報で指定される表示装置に送信させることにより、当該データを前記モニタリンク・オブジェクトとして前記表示装置に表示させるための制御を行う、
ようにしたことを特徴とする携帯端末装置である。
（請求項３）
請求項３に記載の発明は、請求項１に記載の携帯端末装置において、
前記通信手段は、近隣に存在している表示装置との間で直接的に近距離通信を行う近距離通信手段であり、
前記表示制御手段は、前記出力モニタとして特定した表示装置に対して前記端末オブジェクトを、前記近距離通信で送信させることにより、当該端末オブジェクトを前記モニタリンク・オブジェクトとして前記表示装置に表示させるための制御を行う、
ようにしたことを特徴とする携帯端末装置である。
（請求項４）
請求項４に記載の発明は、請求項１〜請求項３のいずれかに記載の携帯端末装置において、
前記表示装置に表示されている前記モニタリンク・オブジェクトの表示位置を取得する第１の位置取得手段と、
前記第１の位置取得手段により取得したモニタリンク・オブジェクトの表示位置と前記端末オブジェクトとを対応付けて記憶管理する管理手段と、
前記操作デバイスモードに設定されている状態において、ユーザ操作が行われた場合に、前記第１の通信手段を介して前記表示装置上に表示されているカーソルをそのユーザ操作に応じて移動させるカーソル移動手段と、
前記表示装置上に表示されているカーソル位置を取得する第２の位置取得手段と、
前記第２の位置取得手段により取得したカーソル位置が、前記管理手段により記憶管理されている前記モニタリンク・オブジェクトの表示位置に該当するか否かを判別する位置判別手段と、
前記位置判別手段によりカーソル位置がモニタリンク・オブジェクトの表示位置に該当すると判別された場合に、当該モニタリンク・オブジェクトに対応付けられている前記端末オブジェクトに対する処理を実行するオブジェクト処理手段と、
を更に備える、
ようにしたことを特徴とする携帯端末装置である。
（請求項５）
請求項５に記載の発明は、請求項４に記載の携帯端末装置において、
前記表示装置上のカーソルは、ユーザによる移動操作の開始時に前記表示装置上に一時表示され、その後の移動操作に応じて移動されるカーソルである、
ことを特徴とする携帯端末装置である。
（請求項６）
請求項６に記載の発明は、請求項１〜請求項５のいずれかに記載の携帯端末装置において、
前記通信手段は、近隣に存在している表示装置との間で直接的に近距離通信を行う近距離通信手段であり、
前記接続判別手段は、前記端末オブジェクトに対してアクセス操作が行われた際に、前記近距離通信で発信された探索信号に対していずれかの前記表示装置から応答が有ったか否かに応じて当該端末装置の近隣に通信接続が可能な表示装置が存在しているか否かを判別し、いずれの表示装置からも応答が無かった場合に、前記表示装置の電源オンを指示する電源オン信号を前記近距離通信で発信させた後の再度の探索信号の発信に対して、いずれかの表示装置から応答が有ったか否かに応じて、当該端末装置の近隣に通信接続が可能な表示装置が存在しているか否かを判別する、
ようにしたことを特徴とする携帯端末装置である。
（請求項７）
請求項７に記載の発明は、請求項１〜請求項６のいずれかに記載の携帯端末装置において、
前記表示制御手段は、前記出力モニタとして特定した表示装置に前記モニタリンク・オブジェクトを表示させるための制御を行う場合に、当該表示装置に既に他の表示データが表示されているか否かを判別し、既に他の表示データが表示されていれば、当該他の表示データと共に前記モニタリンク・オブジェクトを表示させるための制御を行う、
ようにしたことを特徴とする携帯端末装置である。
（請求項８）
請求項８に記載の発明は、請求項７に記載の携帯端末装置において、
当該端末装置の端末画面に前記端末オブジェクトが表示されている状態において、前記表示制御手段は、前記出力モニタとして特定した表示装置に他の表示データが表示されていないと判別した場合に、前記端末画面に表示されている端末オブジェクトを含む表示内容の全体をそのまま前記モニタリンク・オブジェクトとして当該表示装置に表示させるための制御を行う、
ようにしたことを特徴とする携帯端末装置である。
（請求項９）
請求項９に記載の発明は、請求項１〜請求項８のいずれかに記載の携帯端末装置において、
筐体の姿勢を検出する姿勢検出手段を更に備え、
前記モード制御手段は、姿勢検出手段の検出結果に基づいて、前記操作デバイスモードを解除する、
ようにしたことを特徴とする携帯端末装置である。
（請求項１０）
請求項１０に記載の発明は、
処理対象のオブジェクトに対する操作に応じて当該オブジェトを処理する携帯端末装置であって、
ネットワーク経由で情報配信装置を介して当該端末装置の外部機器としての表示装置に通信接続する通信手段と、
前記表示装置に表示させる表示対象のデータの存在場所を指定するためのリンク情報である前記オブジェクトを端末オブジェクトとし、この端末オブジェクトに対してアクセス操作が行われた場合に、当該端末装置の近隣に通信接続が可能な前記表示装置が存在しているか否かを判別する接続判別手段と、
前記接続判別手段により表示装置が存在していることが判別された場合に、その表示装置を出力モニタとして特定してその表示装置の識別情報を取得すると共に、この識別情報及び前記リンク情報を前記ネットワーク経由で前記情報配信装置に対して通知することで、当該情報配信装置からそのリンク情報で指定されるデータを、前記識別情報で指定される表示装置に送信させることにより、当該データをモニタリンク・オブジェクトとして前記表示装置に表示させるための制御を行う表示制御手段と、
を備えたことを特徴とする携帯端末装置である。
（請求項１１）
請求項１１に記載の発明は、請求項１０に記載の携帯端末装置において、
前記表示装置に表示されている前記モニタリンク・オブジェクトの表示位置を取得する第１の位置取得手段と、
前記第１の位置取得手段により取得したモニタリンク・オブジェクトの表示位置と前記端末オブジェクトとしてのリンク情報とを対応付けて記憶管理する管理手段と、
前記操作デバイスモードに設定されている状態において、ユーザ操作が行われた場合に、前記通信手段を介して前記表示装置上のカーソルをそのユーザ操作に応じて移動させるカーソル移動手段と、
前記表示装置上に表示されているカーソル位置を取得する第２の位置取得手段と、
前記第２の位置取得手段により取得したカーソル位置が、前記管理手段により記憶管理されている前記モニタリンク・オブジェクトの表示位置に該当するか否かを判別する位置判別手段と、
前記位置判別手段によりカーソル位置がモニタリンク・オブジェクトの表示位置に該当すると判別された場合に、当該モニタリンク・オブジェクトに対応付けられているリンク情報に対する処理を実行するリンク情報処理手段と、
を更に備える、
ようにしたことを特徴とする携帯端末装置である。
（請求項１２）
請求項１２に記載の発明は、請求項１０に記載の携帯端末装置において、
当該端末装置の近隣に存在している表示装置との間で直接的に近距離通信を行う近距離通信手段を更に備え、
前記接続判別手段は、前記端末オブジェクトとしてのリンク情報に対してアクセス操作が行われた際に、前記近距離通信で発信された探索信号に対していずれかの前記表示装置から応答が有ったか否かに応じて当該端末装置の近隣に通信接続が可能な表示装置が存在しているか否かを判別し、いずれの表示装置からも応答が無かった場合に、前記表示装置の電源オンを指示する電源オン信号を前記近距離通信で発信させた後の再度の探索信号の発信に対して、いずれかの表示装置から応答が有ったか否かに応じて、当該端末装置の近隣に通信接続が可能な表示装置が存在しているか否かを判別する、
ようにしたことを特徴とする携帯端末装置である。
（請求項１３）
請求項１３に記載の発明は、
コンピュータに対して、
処理対象のオブジェクトに対する操作に応じて当該オブジェトを処理する携帯端末装置の近隣に存在している外部機器である表示装置との間で直接的あるいは間接的にデータ通信を行う機能と、
前記処理対象のオブジェクトを端末オブジェクトとし、その端末オブジェクトに対してアクセス操作が行われた場合に、当該端末装置の近隣に通信接続が可能な前記表示装置が存在しているか否かを判別する機能と、
前記表示装置が存在していることが判別された場合に、その表示装置を出力モニタとして特定すると共に、前記オブジェクト又はその処理結果をモニタリンク・オブジェクトとして、前記特定した表示装置に前記データ通信を介して表示させるための制御を行う機能と、
前記表示装置に対する操作デバイスとして当該端末装置を機能させる操作デバイスモードに移行させる機能と、
を実現させるためのプログラムである。
（請求項１４）
請求項１４に記載の発明は、
コンピュータに対して、
処理対象のオブジェクトに対する操作に応じて当該オブジェトを処理する携帯端末装置と外部機器である表示装置とをネットワーク経由で情報配信装置を介して通信接続する機能と、
前記表示装置に表示させる表示対象のデータの存在場所を指定するためのリンク情報である前記オブジェクトを端末オブジェクトとし、この端末オブジェクトに対してアクセス操作が行われた場合に、当該端末装置の近隣に通信接続が可能な前記表示装置が存在しているか否かを判別する機能と、
前記表示装置が存在していることが判別された場合に、その表示装置を出力モニタとして特定してその表示装置の識別情報を取得すると共に、この識別情報及び前記リンク情報を前記ネットワーク経由で前記情報配信装置に対して通知することで、当該情報配信装置からそのリンク情報で指定されるデータを、前記識別情報で指定される表示装置に送信させることにより、当該データをモニタリンク・オブジェクトとして前記表示装置に表示させるための制御を行う機能と、
を実現させるためのプログラムである。
【符号の説明】
【００７７】
１  携帯電話機
３  無線通信網
４  インターネット
５  情報配信装置
６  表示装置
６Ａ  テレビ受信機
１１  ＣＰＵ
１３  記憶部
１５  無線通信部
１７  操作部
１８  タッチ表示部
１９  マウスセンサ
２２  筐体向き検出部
２３  引出検出部
ＤＴ  表示位置管理テーブル
【図１】
0005769000.tif 000002
【図２】
0005769000.tif 000003
【図３】
0005769000.tif 000004
【図４】
0005769000.tif 000005
【図５】
0005769000.tif 000006
【図６】
0005769000.tif 000007
【図７】
0005769000.tif 000008
【図８】
0005769000.tif 000009
【図９】
0005769000.tif 000010
【図１０】
0005769000.tif 000011
【図１１】
0005769000.tif 000012
【図１２】
0005769000.tif 000013
【図１３】
0005769000.tif 000014